(57)【要約】      （修正有）【課題】入出庫が迅速に行える自走式地下駐車場を提供する。【解決手段】地下駐車設備の収納能力を３倍以上にするために地下通路の両側に２階建の収納棚２８等を設置するとともに昇降空間１６を上下する籠の外枠８内に２階建に上部内枠１１及び下部内枠１４を組み込み、地上で最初１台の自動車を受け入れ、引き続いて次の２台目を短時間でそれらの内枠の中のパレットに搭乗させ、又地下通路２７の上部チェインコンベアー３０及び下部チェインコンベアー３２に上部内枠１１及び下部内枠１４を同時に接続して、同時に２台のパレットをそれらのチェインコンベアーに移し換えて、同時に収納棚２８等の１階及び２階の棚に収納しうるようにしたパレット使用の２段式地下駐車設備。【選択図】図１
2008231898.tif 000002
【特許請求の範囲】
【請求項１】
自動車用エレベーターの籠の外枠８の中に上部内枠１１を水平回転可能に取付け、更にその下に下部内枠１４を垂下して少し上下滑動しうるようにし、これら両内枠の床上面にはそれぞれ横方向コンベアー１３及び１５を取付け、その上にベースプレート１８を載せ、更にその上にパレット駆動用ローラーコンベアー２５を取付けた押出用プレート２０を載せ、更にその上に自動車用パレット２６を載せた構造とし、最初、上部内枠１１上のパレット２６を地面と一致するように停止して、第１台目の自動車を乗り込ませた後、外枠８を巻上機の４本の吊上用ワイヤーロープ２により引き上げていき、下部内枠１４上のパレット２６が同じ地面と一致するときに停止し、第２台目の自動車を乗り込ませ、その後外枠８を少し引き上げて、その中の上部内枠１１及び下部内枠１４を水平に１８０°回転させて、その中の自動車の前後を入れ換えた後、外枠８を昇降空間１６内に降下させていき、先ず下部内枠１４の底面が受台１７にぶつかって停止すると、この下部内枠１４の横方向コンベアー１５の上面が地下通路２７の両側の収納棚２８及び２９に取付けた左側下部チェインコンベアー３２と右側下部チェインコンベアー３３の上面と一致するようになるのでこれらのコンベアーの連動運転により下部内枠１４上のペースプレート１８は両側の下部チェインコンベアー３２及び３３の上に乗り移り、収納棚２８又２９の下段の所定の枡まで搬送され、ベースプレート１８上の押出用プレート２０に取付けられたパレット駆動用ローラーコンベアー２５により、その上のパレット２６は収納棚２８又は２９の下段の棚用従動ローラーコンベアー３５の上に送り込まれ、棚に収納され、更に外枠８はもう少し引き下げられて、上部内枠１１上の横方向コンベアー１３の上面が収納棚２８及び２９に取付けた左右の上部チェインコンベアー３０及び３１の上面と合致すると、これらのコンベアーの連動運転により、上部内枠１１上のベースプレート１８は上部チェインコンベアー３０及び３１の上に乗り移り、収納棚２８又は２９の上段の所定の枡まで搬送され、その上のパレット２６は収納棚２８又は２９の上段の棚に収納され、次ぎに出庫要請により自動車を載せているパレット２６はベースプレート１８上のパレット駆動用ローラーコンベアー２５の作用により棚より引き出され、ベースプレート１８上に乗り移る。このベースプレート１８は左右の上部チェインコンベアー３０及び３１又は左右の下部チェインコンベアー３２及び３３上に載っているため、そのまま出口に向い搬送され、籠の上部内枠１１又は下部内枠１４上の横方向コンベアー１３又は１５に載せ換えられて、巻上機により地上に送り出されるようにしたパレット使用の２段式地下駐車設備
【請求項２】
特許請求の範囲の請求項１の籠の外枠８を引き上げるとき、その上面の４隅に取付けた４本の吊上用ワイヤーロープ２の内、巻上機用減速機付モーター７に近い方の２本１組の中の１本をモーター側巻上ドラム３の上周辺より、他の１本を同じ巻上ドラム３の下周辺より、２本共時計方向に蔓巻状に重ね合わされないように巻付け、又遠い方の２本１組も同様な方法で同径のモーターと反対側の巻上ドラム４に巻付けこの２個の巻上ドラム３及び４を貫通して取付けている巻上ドラム軸６の回転により４本の吊上用ワイヤーロープ２は常に同時に始動し、等速で引き上げ、引き下げられるため、架台１、従ってパレット２６の上面は常に水平を保ちながら昇降しうるようにした籠の外枠８の昇降方法
【請求項３】
特許請求の範囲の請求項１におけるパレット２６をパレット駆動用ローラーコンベアー２５の上より左右の収納棚２８又は２９上の棚用従動ローラーコンベアー３５上に送り込む方法として、先ず最初にベースプレート１８上の押出用プレート２０を送り込もうとする収納棚の方向に少し押し出してベースプレート上面の山形１９の上に押出用プレート下面の山形２１を乗り上げることにより、僅かにパレット駆動用ローラーコンベアー２５の上面を持ち上げると共にこの駆動用ローラーコンベアー２５の先端を収納棚の上に乗り上げるように進入させた後、このコンベアーを回転駆動させて、その上のパレット２６を収納棚上の棚用従動ローラーコンベアー３５の上を奥まで滑り込ませて、パレット２６の後尾が棚よりはみ出さないようにするパレットの移動方法
【請求項４】
特許請求の範囲の請求項１のパレット２６を左右の収納棚２８又は２９上の棚用従動ローラーコンベアー３５上よりベースプレート１８上のパレット駆動用ローラーコンベアー２５上へ取出す方法として、先ずパレット駆動用ローラーコンベアー２５を少しパレット引込み方向に回転させておき、ベースプレート１８の上の押出用プレート２０を浮き上がらせながら収納棚２８又は２９の方向に少し押し出してパレット２６の下にもぐり込ませる事により、パレット２６は回転しているパレット駆動用ローラーコンベアー２５側に引き寄せられ、この上に乗り移った後、押出用プレート２０を元の位置に引き戻して、パレット２６がベースプレート１８の中央に乗り移るようにするパレットの移動方法
【請求項５】
特許請求の範囲の請求項１の地下駐車設備において使用するパレット２６の格納装置３６として左右の壁状フレーム３７の片側に２本づつ、計４本のアタッチメント付チェイン３８を設置し、これらの左右のチェインのアタッチメントに格納用従動ローラーコンベアー棒４０を等間隔に多数本取付けて、これらによりパレット２６の左側端及び右側端を支えて、多層の棚のように多数枚格納しうるようにし、籠の外枠８が上昇又は下降してきて、上部内枠１１又は下部内枠１４上のパレット駆動用ローラーコンベアー２５の上面が地面に来たとき、このベースプレート１８の上の押出用プレート２０をパレット格納装置３６の方向に少し押し出して、ローラーコンベアー２５をその方向に近づけると同時にローラーコンベアー２５をパレット引き込み方向に回転させておき、格納されているパレット２６の１枚をパレット移動棒４１により押し出してローラーコンベアー２５上に乗せるようにし、又反対にパレット２６をパレット駆動用ローラーコンベアー２５により押し出し、これをパレット移動棒４１で掴んで格納用従動ローラーコンベアー棒４０の上に引き戻すようにしたパレット格納装置
【発明の詳細な説明】
【技術分野】
【０００１】  本発明はパレット使用の地下駐車設備であって、従来のビル地下に設けられている自走式地下駐車場に代替しようとするものである。
【背景技術】
【０００２】  現在ビル地下１階、２階に自動車を収納する場合はほとんど自走式の駐車場であって、車の出入時の坂道、廻り角、車の正逆運転のための広い直線路が必要のため、実際、車自身の有効収容面積は充分に取れない現況である。そしてこれを解決するための機械式駐車場も普及していない。
【発明の開示】
【発明が解決しようとする課題】
【０００３】  現在自走式地下駐車場に代わる機械式駐車場が普及しない理由は、機械化にかかわらず収納台数があまり増加しないこと、入出時に時間がかかりすぎることである。【０００４】  本発明は地下の一階分の高さを少し高くすることにより、２階建の棚を地下中央通路の両側に設け、地下には自動車の前後入替えの場所を必要としないため、自走式駐車場に比し、３倍以上の台数を収容することを目標とする。【０００５】  又自動車入庫時２台引き続いて引取り、自動車前後入替えもその直後に行い、自動車を能率よく、駐車装置内を移動して２階建の棚に収納し、又出庫時にも敏速に引渡しを行いうるようにする。
【課題を解決するための手段】
【０００６】  図１〜図５は本発明のパレット使用の地下駐車場設備の一例を示すものであって自動車用エレベーターの籠の外枠８の中に上部内枠１１を水平回転可能に取付け、更にその下に下部内枠１４を垂下して少し上下滑動しうるようにし、これら両内枠の床上面にはそれぞれ横方向コンベアー１３及び１５を取付け、その上にベースプレート１８を載せ、更にその上にパレット駆動用ローラーコンベアー２５を取付けた押出用プレート２０を載せ、更にその上に自動車用パレット２６を載せた構造とする。【０００７】  最初、上部内枠１１上のパレット２６を地面と一致するように停止して、第１台目の自動車を乗り込ませた後、外枠８を巻上機の４本の吊上用ワイヤーロープ２により引き上げていき、下部内枠１４上のパレット２６が同じ地面と一致するときに停止し、第２台目の自動車を乗り込ませ、その後外枠８を少し引き上げて、その中の上部内枠１１及び下部内枠１４を水平に１８０°回転させて、その中の自動車の前後を入れ換えた後、外枠８を昇降空間１６内に降下させていき、先ず下部内枠１４の底面が受台１７にぶつかって停止すると、この下部内枠１４の横方向コンベアー１５の上面が地下通路２７の両側の収納棚２８及び２９に取付けた左側下部チェインコンベアー３２と右側下部チェインコンベアー３３の上面と一致するようになるのでこれらのコンベアーの連動運転により下部内枠１４上のペースプレート１８は両側の下部チェインコンベアー３２及び３３の上に乗り移り、収納棚２８又２９の下段の所定の枡まで搬送され、ベースプレート１８上の押出用プレート２０に取付けられたパレット駆動用ローラーコンベアー２５により、その上のパレット２６は収納棚２８又は２９の下段の棚用従動ローラーコンベアー３５の上に送り込まれ、棚に収納される。【０００８】  更に外枠８はもう少し引き下げられて、上部内枠１１上の横方向コンベアー１３の上面が収納棚２８及び２９に取付けた左右の上部チェインコンベアー３０及び３１の上面と合致すると、これらのコンベアーの連動運転により、上部内枠１１上のベースプレート１８は上部チェインコンベアー３０及び３１の上に乗り移り、収納棚２８又は２９の上段の所定の枡まで搬送され、その上のパレット２６は収納棚２８又は２９の上段の棚に収納される。【０００９】  次ぎに出庫要請により自動車を載せているパレット２６はベースプレート１８上のパレット駆動用ローラーコンベアー２５の作用により棚より引き出され、ベースプレート１８上に乗り移る。このベースプレート１８は左右の上部チェインコンベアー３０及び３１又は左右の下部チェインコンベアー３２及び３３上に載っているため、そのまま出口に向い搬送され、籠の上部内枠１１又は下部内枠１４上の横方向コンベアー１３又は１５に載せ換えられて、巻上機により地上に送り出されるようになる。【００１０】  籠の外枠８を引き上げるとき、その上面の４隅に取付けた４本の吊上用ワイヤーロープ２の内巻上機用減速機付モーター７に近い方の２本１組の中の１本をモーター側巻上ドラム３の上周辺より、他の１本をと同じ巻上ドラム３の下周辺より、２本共時計方向に蔓巻状に重ね合わされないように巻付け、又遠い方の２本１組も同様な方法で同径のモーターと反対側の巻上ドラム４に巻付けこの２個の巻上ドラム３及び４を貫通して取付けている巻上ドラム軸６の回転により４本の吊上用ワイヤーロープ２は常に同時に始動し、等速で引き上げ、引き下げられるため、架台１、従ってパレット２６の上面は常に水平を保ちながら昇降しうるようになる。【００１１】  パレット２６をパレット駆動用ローラーコンベアー２５の上より左側又は右側の収納棚２８又は２９上の棚用従動ローラーコンベアー３５上に送り込む方法として、先ず最初にベースプレート１８上の押出用プレート２０を送り込もうとする収納棚の方向に少し押し出してベースプレート上面の山形１９の上に押出用プレート下面の山形２１を乗り上げることにより、僅かにパレット駆動用ローラーコンベアー２５の上面を持ち上げると共にこの駆動用ローラーコンベアー２５の先端を収納棚の上に乗り上げる状態で進入させた後、このコンベアーを回転駆動させて、その上のパレット２６を収納棚上の棚用従動ローラーコンベアー３５の上を奥まで滑り込ませて、パレット２６の後尾が棚よりはみ出さないようにする。【００１２】  次ぎにパレット２６を左右の収納棚２８又は２９上の棚用従動ローラーコンベアー３５上よりベースプレート１８上のパレット駆動用ローラーコンベアー２５上へ取出す方法として、先ずパレット駆動用ローラーコンベアー２５をパレット引出し方向に回転させておき、ベースプレート１８の上の押出用プレート２０を浮き上がらせながら収納棚２８又は２９の方向に少し押し出してパレット２６の下にもぐり込ませることにより、パレット２６は回転しているパレット駆動用ローラーコンベアー２５側に引き寄せられ、この上に乗り移った後、押出用プレート２０を元の位置に引き戻して、パレット２６がベースプレート１８の中央に乗り移るようにする【００１３】  地下駐車設備において使用するパレット２６の格納装置３６として左右の壁状フレーム３７の片側に２本づつ、計４本のアタッチメント付チェイン３８を設置し、これらの左右のチェインのアタッチメントに格納用従動ローラーコンベアー棒４０を等間隔に多数本取付けて、これらによりパレット２６の左側端及び右側端を支えて、多層の棚のように多数枚格納しうるようにし、籠の外枠８が上昇又は下降してきて、上部内枠１１又は下部内枠１４上のパレット駆動用ローラーコンベアー２５の上面が地面に来たとき、このベースプレート１８の上の押出用プレート２０をパレット格納装置３６の方向に少し押し出して、ローラーコンベアー２５をその方向に近づけると同時にローラーコンベアー２５をパレット引き込み方向に回転させておき、格納されているパレット２６の１枚をパレット移動棒４１により押し出してローラーコンベアー２５上に乗せるようにし、又反対にパレット２６をパレット駆動用ローラーコンベアー２５により押し出し、これをパレット移動棒４１で掴んで格納用従動ローラーコンベアー棒４０の上に引き戻すようにしたパレット格納装置
【発明の実施をするための最良の形態】
【００１４】  本発明は図に示すように地下の一階分の高さを少し高くすることにより２階建の棚を地下中央通路の両側に設けるため、非常に収容台数を増加させることが出来、下部内枠１４上のパレット２６に自動車を乗降させる場合は上部内枠１１に吊下げられた下部内枠１４の床は最低の位置にくるため搭乗者の頭上空間は高く、圧迫感がない。
【００１５】  本発明は籠の外枠８の中に上部内枠１１と下部内枠１４を上下に取付け、外枠を少し引き上げる事により自動車を引続いて２台短時間にパレットの上に乗り込ませることが可能になる。
【００１６】  外枠８が昇降空間１６内を下降していくとき、上部内枠１１の引上用鈎１２により吊下げられている下部内枠１４が、下の受台１７にあたって停止し、更に上部内枠１１を降下させると２つの内枠の床の間隔が縮小して、下部内枠の横方向コンベアー１５の上面が収納棚の下部チェインコンベアー３２及び３３の上面と、そして上部内枠の横方向コンベアー１３の上面が、収納棚の上部チェインコンベアー３０及び３１の上面と同時に一致させることが可能となり、上下２つの内枠上のベースプレート１８を同時に２階建収納棚２８及び２９の１階及び２階のそれぞれ所定の枡の前まで搬送することが可能になる。このことにより自動車の乗り入れ時間が非常に短縮できる。
【００１７】  更に外枠の中の上部内枠１１と下部内枠１４を同時に水平回転受鍔１０を軸として１８０°回転させることにより自動車の前後を入れ換えることにより、自動車は常に前方方向運転で入庫、出庫が可能になる。
【００１８】  ２階建収納棚２８及び２９の１階及び２階より同時に自動車を搭載した２台のパレット２６を２台のベースプレート１８上に引き出して、これらを下部チェインコンベアー３２及び３３と上部チェインコンベアー３０及び３１により出口に向かい搬送して、これらのチェインコンベアーと下部内枠１４及び上部内枠１１内の横方向コンベアー１３及び１５によりパレット２６を下部内枠１４及び上部内枠１１上に移した後、外枠８の上昇により地上に搬出される。このように２台のパレット２６が引き続いて地上に出て、自動車を送り出すことが出来、時間が非常に短縮できる。
【００１９】  パレット２６上に載せる自動車の重心は前よりであり、しかもパレットを内枠１１又は１４に載せて１８０°水平に回転するとき重心は振りまわされて、外枠８の安定がそこなわれる。このため、外枠８は屋上４隅のワイヤーロープ取付部９により４本の吊上用ワイヤーロープ２により均等に吊り上げ、常に水平に安定するようにしており、地震に対しても安全である。
【００２０】  ベースプレート１８上に載せられた押出用プレート２０は押出用ラック歯２２を持ち、ベースプレート１８に備えられた押出用減速機付モーター２４により駆動される押出用ピニオン２３によりベースプレート１８上を長手方向に押出すことが出来、そしてこのとき押出用プレート下面の山形２１がベースプレート上面の山形１９の上に乗り上げるため、僅かに持ち上がることにより、パレット駆動用ローラーコンベアー２５の回転力を、この上に載っているパレット２６により強く伝えることによってパレットの押出し、又は引き込み動作を確実にすることが出来る。
【００２１】  図６及び図７は本発明の地下駐車設備に使用されるパレット２６の格納装置３６の一例を示すものであって、自動車が乗降する上下の内枠１１及び１４の自動車進入口の反対側に設置して、上下の内枠１１及び１４に必要に応じ、パレット２６を供給するものである。左右のチェインアタッチメントには格納用従動ローラーコンベアー棒４０が等間隔に多数本取付けて、これらによりパレット２６は多層の棚のように多数枚格納されており、左右のチェイン３８の駆動によりパレット１枚づつ上下して、パレット２６の高さが内枠１１又は１４上のパレット駆動用ローラーコンベアー２５の上面の高さと一致したときパレット移動棒４１によりローラーコンベアー２５上に乗せられる。又反対にパレット２６をパレット駆動用ローラーコンベアー２５により押出し、これをパレット移動棒４１で掴んで、このとき空場所になっている格納用従動ローラーコンベアー棒４０の空間の上に引き戻すことが出来る。
【００２２】  自動車の入庫希望者はエレベーターの直前で車を一旦停車し、入庫状況表示パネル上の入庫ボタンを押して後、エレベーター内の上部又は下部の内枠１１又は１４のパレット２６上に車を乗り入れ、車を離れてパネル上に入庫済のボタンを押すと、入庫券が発行された後、自動的にパレット２６は昇降空間１６を降下し、地下の収納棚に収納される。又、自動車を出庫したいときは、入庫券をパネルに挿入し、料金を精算すると、車券に記された枠番号の自動車搭載のパレット２６が自動的に地上まで搬送され、内枠１１又は１４上より運転者により出庫できる。以上自動車の入庫から出庫まで自動的に操作することが可能になる。
【産業上の利用可能性】
【００２３】  本発明は都市におけるビル建築の地下駐車場として、広く使用されるものであるが、又、商品倉庫として使用することが可能である。
【図面の簡単な説明】
【００２４】
【図１】本発明の実施形態の実施例として地下駐車設備の自動車入庫時を示す縦断面図
【図２】図１に於ける籠の外枠が地下に接地した時を示す縦断面図
【図３】図１に於けるエレベーターの平面図
【図４】図２のＡ−Ａ断面図
【図５】図４のＢ−Ｂ断面図
【図６】本発明の実施例としてパレット格納装置の縦断面図
【図７】図６のＣ−Ｃ断面図
【符号の説明】
【００２５】  １・・・架台                          ２・・・吊上用ワイヤーロープ
３・・・モーター側巻上ドラム          ４・・・モーターと反対側巻上ドラム
５・・・ガイドプーリー                ６・・・ドラム軸
７・・・巻上機用減速機付モーター      ８・・・籠の外枠
９・・・外枠のワイヤーロープ取付部  １０・・・水平回転受鍔
１１・・・籠の上部内枠                １２・・・上部内枠の引上用鈎
１３・・・上部内枠の横方向コンベアー  １４・・・籠の下部内枠
１５・・・下部内枠の横方向コンベアー  １６・・・昇降空間
１７・・・下部内枠の受台              １８・・・ベースプレート
１９・・・ベースプレート上面の山形    ２０・・・押出用プレート
２１・・・押出用プレート下面の山形    ２２・・・押出用ラック歯
２３・・・押出用ピニオン              ２４・・・押出用減速機付モーター
２５・・・パレット駆動用ローラーコンベアー  ２６・・・パレット
２７・・・地下通路                    ２８・・・左側２階建収納棚
２９・・・右側２階建収納棚            ３０・・・左側上部チェインコンベアー
３１・・・右側上部チェインコンベアー  ３２・・・左側下部チェインコンベアー
３３・・・右側下部チェインコンベアー
３４・・・モーター内蔵の駆動用チェインホイール
３５・・・棚用従動ローラーコンベアー  ３６・・・パレット格納装置
３７・・・左右の壁状フレーム          ３８・・・左右のアタッチメント付チェイン
３９・・・チェイン駆動用減速機付モーター
４０・・・格納用従動ローラーコンベアー棒
４１・・・パレット移動棒              ４２・・・移動棒駆動用減速機付モーター
【図１】
2008231898.tif 000003
【図２】
2008231898.tif 000004
【図３】
2008231898.tif 000005
【図４】
2008231898.tif 000006
【図５】
2008231898.tif 000007
【図６】
2008231898.tif 000008
【図７】
2008231898.tif 000009